(57)【要約】【課題】下カバーを簡単に短時間で交換できる掛け布団を提供すること。【解決手段】掛け布団本体２２と、この掛け布団本体２２の下面側を覆う下カバー２１と、この下カバー２１とは独立に構成されて、掛け布団本体２２の上面側を覆う上カバー２３とを備え、上カバー２３は、掛け布団本体２２の上面に接触する下面２３ｂのうちの、少なくとも一部に、掛け布団本体２２の上面との間の摩擦力を増加させる滑り止め加工が施されているとともに、下カバー２１と掛け布団本体２２と上カバー２３とは、この順に、使用者の頭部に対応するそれぞれの頭部側端部を合わせた状態で重ねられている。【選択図】図４
2011098109.tif 000002
【特許請求の範囲】
【請求項１】
掛け布団本体と、
前記掛け布団本体の下面側を覆う下カバーと、
前記下カバーとは独立に構成されて、前記掛け布団本体の上面側を覆う上カバーとを備え、
前記上カバーは、前記掛け布団本体の上面に接触する裏面側のうちの、少なくとも一部に、前記掛け布団本体の上面との間の摩擦力を増加させる滑り止め加工が施されているとともに、
前記下カバーと前記掛け布団本体と前記上カバーとは、この順に、使用者の頭部に対応するそれぞれの頭部側端部を合わせた状態で重ねられている、
ことを特徴とする掛け布団。
【請求項２】
前記上カバーは、裏面側全体に前記滑り止め加工が施されている、
ことを特徴とする請求項１に記載の掛け布団。
【請求項３】
前記下カバーは、前記頭部側端部に、前記上カバーの頭部側端部近傍の上面側に折り返されて前記頭部側端部近傍をカバーする襟部を有する、
ことを特徴とする請求項１又は２に記載の掛け布団。
【請求項４】
前記上カバーは、その表面側における前記襟部に接触する部分のうちの、少なくとも一部に前記滑り止め加工が施されている、
ことを特徴とする請求項３に記載の掛け布団。
【請求項５】
前記上カバーは、その表面側全体に前記滑り止め加工が施されている、
ことを特徴とする請求項４に記載の掛け布団。
【請求項６】
前記上カバーは、前記掛け布団本体よりも大きく形成されていて、前記掛け布団本体の上面側を覆った際に、少なくとも前記頭部側端部を除いた３つの端部が、前記掛け布団本体の３つの端部からはみ出している、
ことを特徴とする請求項１ないし５のいずれか１項に記載の掛け布団。
【請求項７】
ボトムと前記ボトムの上に載せたクッションとを有するベッド本体と、前記クッション本体の上面に載せた掛け布団とを備えたベッドにおいて、
前記掛け布団が、掛け布団本体と下カバーと上カバーとを備えた、請求項１ないし６のいずれか１項に記載の掛け布団である、
ことを特徴とするベッド。
【請求項８】
前記上カバーにおける頭部側端部を除く３つの端部が、前記クッションの頭部側端部を除く３つの端部から垂れ下がって配置されるとともに、これら端部の下端が、前記ボトムと前記クッションとの境界よりも下方に位置する、
ことを特徴とする請求項７に記載のベッド。
【請求項９】
掛け布団本体と下カバーと上カバーとを備えた、請求項１ないし請求項６のいずれか１項に記載の掛け布団を使用したベッドメーキング方法において、
ベッド本体の上に前記下カバーを敷き、
前記下カバーの上に前記掛け布団本体を敷き、
前記掛け布団本体の上に前記上カバーを敷くことで、前記ベッド本体の上で掛け布団を構成する、
ことを特徴とするベッドメーキング方法。
【請求項１０】
掛け布団本体と下カバーと上カバーとを備えた、請求項１ないし請求項６のいずれか１項に記載の掛け布団を使用したベッドメーキング方法において、
前記下カバーと前記掛け布団本体と前記上カバーとを、それぞれの頭部側端部を合わせて重ねて前記掛け布団を構成し、前記掛け布団をベッド本体の上に敷く、
ことを特徴とするベッドメーキング方法。
【請求項１１】
掛け布団本体と下カバーと上カバーとを備えた、請求項１ないし請求項６のいずれか１項に記載の掛け布団を使用したベッドメーキング方法において、
ベッド本体の上に前記下カバーを敷き、
前記掛け布団本体と前記上カバーとを、それぞれの頭部側端部を合わせて重ねた状態で、前記下カバーの上に敷くことで、前記ベッド本体の上で掛け布団を構成する、
ことを特徴とするベッドメーキング方法。
【発明の詳細な説明】
【技術分野】
【０００１】
本発明は、布団カバーを簡単に交換することができる掛け布団と、この掛け布団を備えたベッドと、この掛け布団を使用したベッドメーキング方法に関する。
【背景技術】
【０００２】
図５に、ホテル，旅館等の宿泊施設で使用される一般的なベッド（シングルベッド）１０１を模式的に示す。
【０００３】
ベッド１０１は、同図に示すように、最も下層に、上面が矩形の、全体のベースとなるボトム１０２を有している。ボトム１０２は、その枕元側（前側：同図中では左側）に、ヘッドボード１０３が立設されており、また、上面には、クッション１０４が載せられている。クッション１０４は、上面にベッドパッド１０５が敷かれていて、ベッドパッド１０５の上からシーツ１０６が掛けられている。シーツ１０６は、その４つの裾部（端部）１０６ａがクッション１０４の４つの側面を覆うとともに、ボトム１０２とクッション１０４との間に差し込まれている。これにより、使用者が寝返りを打った場合でも、シーツ１０６がずれたり片寄ったりしない。シーツ１０６の上には、掛け布団１１１が載せられている。
【０００４】
掛け布団１１１は、掛け布団本体１１２と、この掛け布団本体１１２が収納される布団カバー１１３によって構成されている。布団カバー１１３は、例えば、特許文献１に開示されているように、袋状に形成されている。布団カバー１１１は、掛け布団本体１１２の下側を覆う矩形の下カバー部と、上側を覆う同じく矩形の上カバー部とを有しており、それぞれの４つの端部（辺）のうちの３つの端部は、相互に縫合等によって一体に形成されていて、開口部となる残りの１つの辺には、ファスナーが設けられている。
【０００５】
掛け布団本体１１２に対する布団カバー１１３の取り付け作業は以下のようにして行う。布団カバー１１３のファスナーを開け、開口部から掛け布団本体１１２を布団カバー１１３内に装入する。つづいて、布団カバー１１３の中で、掛け布団本体１１２を広げて、掛け布団本体１１２の４つの端部と、布団カバー１１３の４つの端部とを合わせる。このままの状態で使用すると、使用者が寝返りを打ったりした場合に、布団カバー１１３の中で掛け布団本体１１２がずれたり片寄ったりして、寝心地が悪くなるおそれがある。そこで、例えば、掛け布団本体１１２の四隅に紐を付けて、布団カバー１１３の内側の四隅に設けたループに結び付ける等して、両者がずれたり片寄ったりすることを防止している。一方、掛け布団本体１１２から布団カバー１１３を取り外す取り外し作業は、上述の取り付け作業の逆の工程をたどることによって行うことができる。なお、以下では、取り外し及び取り付けを交換といい、取り外し作業及び取り付け作業を交換作業というものとする。
【０００６】
ここで、ホテルや旅館等の宿泊施設においては、シーツ、布団カバー、枕カバー等の使用者の身体が直接触れるものは、使用者が使用するごとに取り外し、新規のものを取り付けるとともに、取り外したものはその都度、洗濯するようにしている。
【先行技術文献】
【特許文献】
【０００７】
【特許文献１】特開２００４−２９８４８１号公報
【発明の概要】
【発明が解決しようとする課題】
【０００８】
しかしながら、従来の掛け布団１１１によると、掛け布団本体１１２に対する布団カバー１１３の交換作業、さらにはベッドメーキングが煩雑で、多くの時間を要するという問題、さらには、布団カバー１１３の洗濯代が嵩むという問題があった。
【０００９】
すなわち、布団カバー１１３が袋状に形成されているため、交換作業に際しては、ファスナーの開閉作業、開き口からの布団本体の取り出し・装入作業、布団カバー１１３内で掛け布団本体１１２を広げる作業、掛け布団本体１１２の４隅の紐の着脱作業等が必要となり、これらの一連の作業からなる交換作業が煩雑で、時間のかかるものとなっていた。さらに、布団カバー１１３の交換作業が煩雑で時間がかかるため、ベッドメーキングも同様に煩雑で時間のかかるものとなっていた。
【００１０】
また、布団カバー１１３は、下カバー部と上カバー部とが一体の袋状に形成されているため、使用者の身体に直接触れる下カバー部は使用ごとの洗濯が必要ではあるが、例えば、腕等を除く身体が直接触れることがない上カバー部は使用ごとに選択する必要がなかったとしても、下カバー部と上カバー部とが一体の布団カバー全体を使用ごとに洗濯しなければならない。このため、例えば、下カバー部と上カバー部とが別体に構成されていて、上カバー部の洗濯の頻度が下カバー部よりも少なくて済む場合と比較して、洗濯量が多くなり、その分、洗濯代が多くなるという問題があった。
【００１１】
そこで、本発明は、布団カバーを簡単な作業で短時間に交換することができ、ひいてはベッドメーキング時間を短縮することができ、しかも、布団カバーの洗濯代を抑制することができる掛け布団、これを備えたベッド、及びこれを使用したベッドメーキング方法を提供することを目的とするものである。
【課題を解決するための手段】
【００１２】
請求項１に係る発明は、掛け布団に関する。この発明に係る掛け布団は、掛け布団本体と、前記掛け布団本体の下面側を覆う下カバーと、前記下カバーとは独立に構成されて、前記掛け布団本体の上面側を覆う上カバーとを備え、前記上カバーは、前記掛け布団本体の上面に接触する裏面側のうちの、少なくとも一部に、前記掛け布団本体の上面との間の摩擦力を増加させる滑り止め加工が施されているとともに、前記下カバーと前記掛け布団本体と前記上カバーとは、この順に、使用者の頭部に対応するそれぞれの頭部側端部を合わせた状態で重ねられている、ことを特徴とする。
【００１３】
請求項２に係る発明は、請求項１に係る掛け布団において、前記上カバーは、裏面側全体に前記滑り止め加工が施されている、ことを特徴とする。
【００１４】
請求項３に係る発明は、請求項１又は２に係る掛け布団において、前記下カバーは、前記頭部側端部に、前記上カバーの頭部側端部近傍の上面側に折り返されて前記頭部側端部近傍をカバーする襟部を有する、ことを特徴とする。
【００１５】
請求項４に係る発明は、請求項３に係る掛け布団において、前記上カバーは、その表面側における前記襟部に接触する部分のうちの、少なくとも一部に前記滑り止め加工が施されている、ことを特徴とする。
【００１６】
請求項５に係る発明は、請求項４に係る掛け布団において、前記上カバーは、その表面側全体に前記滑り止め加工が施されている、ことを特徴とする。
【００１７】
請求項６に係る発明は、請求項１ないし５のいずれか１項に係る掛け布団において、前記上カバーは、前記掛け布団本体よりも大きく形成されていて、前記掛け布団本体の上面側を覆った際に、少なくとも前記頭部側端部を除いた３つの端部が、前記掛け布団本体の３つの端部からはみ出している、ことを特徴とする。
【００１８】
請求項７に係る発明は、ボトムと前記ボトムの上に載せたクッションとを有するベッド本体と、前記クッション本体の上面に載せた掛け布団とを備えたベッドに関する。この発明に係るベッドは、前記掛け布団が、掛け布団本体と下カバーと上カバーとを備えた、請求項１ないし６のいずれか１項に記載の掛け布団である、ことを特徴とする。
【００１９】
請求項８に係る発明は、請求項７に記載のベッドにおいて、前記上カバーにおける頭部側端部を除く３つの端部が、前記クッションの頭部側端部を除く３つの端部から垂れ下がって配置されるとともに、これら端部の下端が、前記ボトムと前記クッションとの境界よりも下方に位置する、ことを特徴とする。
【００２０】
請求項９に係る発明は、掛け布団本体と下カバーと上カバーとを備えた、請求項１ないし請求項６のいずれか１項に記載の掛け布団を使用したベッドメーキング方法に関する。この発明に係るベッドメーキング方法は、ベッド本体の上に前記下カバーを敷き、前記下カバーの上に前記掛け布団本体を敷き、前記掛け布団本体の上に前記上カバーを敷くことで、前記ベッド本体の上で掛け布団を構成する、ことを特徴とする。
【００２１】
請求項１０に係る発明は、掛け布団本体と下カバーと上カバーとを備えた、請求項１ないし請求項６のいずれか１項に記載の掛け布団を使用したベッドメーキング方法に関する。この発明に係るベッドメーキング方法は、前記下カバーと前記掛け布団本体と前記上カバーとを、それぞれの頭部側端部を合わせて重ねて前記掛け布団を構成し、前記掛け布団をベッド本体の上に敷く、ことを特徴とする。
【００２２】
請求項１１に係る発明は、掛け布団本体と下カバーと上カバーとを備えた、請求項１ないし請求項６のいずれか１項に記載の掛け布団を使用したベッドメーキング方法に関する。この発明に係るベッドメーキング方法は、ベッド本体の上に前記下カバーを敷き、前記掛け布団本体と前記上カバーとを、それぞれの頭部側端部を合わせて重ねた状態で、前記下カバーの上に敷くことで、前記ベッド本体の上で掛け布団を構成する、ことを特徴とする。
【発明の効果】
【００２３】
請求項１の発明によれば、掛け布団は、下カバーと、掛け布団本体と、下カバーとは独立の上カバーとを備えているので、これら重ね合わせることで煩雑な作業のない簡単な作業で全体を構成することができる。この際、上カバーは、その少なくとも一部に、滑り止め加工が施されているで、掛け布団本体との間に摩擦力が増加され、掛け布団本体に対して滑りにくくなり、ずれたり片寄ったりしにくくなる。このため、例えば、掛け布団をベットで使用する場合でも、上カバーがベットからずり落ちにくくなる。
【００２４】
また、上カバーは、下カバーとは独立に構成されているので、上カバーと下カバーとが一体に構成されているものと比較して、上カバーや下カバーの交換が容易である。
【００２５】
また、上カバーは、下カバーとは独立に構成されているので、ホテルや旅館等の宿泊施設で使用する場合、人に直接接触する下カバーは、使用ごとに洗濯が必要であったとしても、上カバーは、直接、人に接触することがないので、洗濯の頻度を減らすことができる。そして、上カバーの洗濯の頻度を減らすことができることにより、従来の下カバーと上カバーとが一体に構成されていて、洗濯に際しては両者を同時に選択する必要があるものと比較して、洗濯の量を少なくすることができるため、その分、洗濯代を低減させることができる。
【００２６】
請求項２の発明によれば、上カバーは、その裏面側全体に滑り止め加工が施されているので、掛け布団本体に対して一層、滑りにくくなる。
【００２７】
請求項３の発明によれば、下カバーの一部を使用して襟を構成することができるので、掛け布団を豪華に見せることができるとともに、別途、襟を設ける必要がない。
【００２８】
請求項４の発明によれば、上カバーは、下カバーの一部を折り返して構成される襟に対応する部分に滑り止め加工がなされているので、掛け布団本体に対して滑りにくいだけでなく、襟を介して、下カバーに対しても滑りにくくなる。
【００２９】
請求項５の発明によれば、上カバーは、その表面全体に滑り止め加工がなされているので、下カバーの一部を折り返して構成される襟は、略その全体が滑り止め加工に接触することになり、滑りにくくなる。
【００３０】
請求項６の発明によれば、上カバーは、３つの他縁が掛け布団本体の３つの端部からはみ出しているので、豪華に見せることができる。
【００３１】
請求項７の発明によれば、上カバーには滑り止め加工が施されているので、掛け布団本体に対してずれにくく、したがって、ベッド本体からずれ落ちにくい。
【００３２】
請求項８の発明によれば、上カバーは、３つの端部が、ボトムとクッションとの境界よりも下方に位置するので、この境界が視認されることがない。このため、境界が視認させることを防止するためのスカート等を別途、設ける必要がない。
【００３３】
請求項９の発明によれば、ベッド本体の上に、下カバー、掛け布団本体、上カバーの順に重ねるだけで、ベッド本体の上で、上カバーがずれにくい掛け布団を簡単に構成することができる。
【００３４】
請求項１０の発明によれば、下カバーと掛け布団本体と上カバーとを重ね合わせて、上カバーがずれにくい掛け布団を構成した後、この掛け布団をベッド本体の上に敷くことができる。
【００３５】
請求項１１の発明によれば、下カバーをベッド本体の上に敷き、その上に、掛け布団本体と上カバーとを重ねた状態で敷くことで、ベッド本体の上で簡単に、上カバーが滑りにくい掛け布団を構成することができる。
【図面の簡単な説明】
【００３６】
【図１】ベッド１を左側の後斜め上方から見た斜視図である。
【図２】図１の分解斜視図である。
【図３】（ａ）は、開いた状態の掛け布団２０の平面図（上面図）であり、（ｂ）は同じく正面図である。
【図４】（ａ）は図１中のＡ−Ａ線矢視図であり、（ｂ）は（ａ）の一部を破断して拡大して示す図である。
【図５】従来の掛け布団１１１を備えたベッド１０１を模式的に示す正面図である。
【発明を実施するための形態】
【００３７】
以下、本発明の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００３８】
図１〜図４を参照して、本実施形態に係る掛け布団２０、この掛け布団２０を備えたベッド１について説明する。
【００３９】
なお、以下では、ベッド１として、ホテル、旅館等の宿泊施設で使用される一般的なシングルベッドを例に説明するが、本発明は、一般家庭用で使用されるベッドや、サイズ的には、セミダブルベッド，ダブルベッド等にも適用できるのはもちろんである。また、図１〜図４においては、説明の便宜上、ベッド１、掛け布団２０等の前後左右上下の各方向を、矢印の前後左右上下の各方向で示している。
【００４０】
図１〜図４のうち、図１は、ベッド１を左側の後斜め上方から見た斜視図である。また、図２は、図１の分解斜視図である。また、図３（ａ）は、開いた状態の掛け布団２０の平面図（上面図）であり、（ｂ）は同じく正面図である。また、図４（ａ）は図１中のＡ−Ａ線矢視図であり、（ｂ）は（ａ）の一部を破断して拡大して示す図である。これらの図においては、後述するベッドパッド１５、シーツ１６、下カバー２１、掛け布団本体２２、上カバー２３等の厚さは、適宜調整して、略同じ厚さで図示している。
【００４１】
ベッド１は、図１に示すように、床面ＦＬに載置されたベッド本体１０と、その上に掛けられた掛け布団２０とによって構成されており、さらに、ベッド本体１０は、矩形板状のボトム１１と、このボトム１１の前端に立設されたヘッドボード１２と、ボトム１１に載置されたクッション１３とを備えている。
【００４２】
ボトム１１は、図２に示すように、左右方向長さよりも前後方向長さの方が長い、略矩形の板状に形成されている。ボトム１１は、載置面１１ａが形成された上面と、底面（下面）１１ｂと、これらの挟まれた４つの側面、すなわち前側面１１ｃと後側面１１ｄと左側面１１ｅと右側面１１ｆとを有している。底面１１ｂにおける４隅には、それぞれキャスタ１１ｇ（ただし、図２では左側の２個のキャスタのみを図示）が取り付けられていて、床面ＦＬ上でのベッド１の移動を容易にしている。
【００４３】
ヘッドボード１２は、略矩形の板状に形成されていて、ボトム１１の前端に立設されている。ヘッドボート４は、その左右方向長さがボトム１１の左右方向長さと同じに設定されており、また、その上部１２ａは、ベッド１を使用する使用者の頭部（不図示）よりも高い位置まで延設されている。このヘッドボード１２は、次に説明するクッション１３の前端側の位置決めにも使用される。
【００４４】
クッション１３は、マットレス１４とベッドパッド１５とシーツ１６とによって構成されている。
【００４５】
マットレス１４は、上面１４ａと下面１４ｂとを有し、これらの間には、前側面１４ｃ、後側面１４ｄ、左側面１４ｅ、右側面１４ｆが形成されている。上面１４ａ及び下面１４ｂは、ボトム１１の載置面１１ａと略同形に形成されている。マットレス１４は、その前側面１４ｃをヘッドボード１２に当接させて前後方向の位置決めがされた状態で、ボトム１１の載置面１１ａ上に載置されている。ボトム１３に対してマットレス１４を固定するための部材（部分）は特に設けられておらす、マットレス１４は、その位置決め後においては、その自重によって位置を保持する。マットレス１４は、この位置決め状態において、その前側面１４ｃ、後側面１４ｄ、左側面１４ｅ、右側面１４ｆが、この順にボトム１１の前側面１１ｃ、後側面１１ｄ、左側面１４ｅ、右側面１１ｆと略同一平面状に配置されている。
【００４６】
ベッドパッド１５は、左右方向長さ及び前後方向長さが、マットレス１４のそれらよりも少し小さく設定された略矩形状に形成されている。ベッドパッド１５は、マットレス１４の上面１４ａに敷かれており、シーツ１６を通り抜けた、使用者の寝汗等がマットレス１４に浸み込むことを防止している。
【００４７】
シーツ１６は、マットレス１４の上面１４ａよりも大きい布状部材によって形成されていて、素材としては、例えば、綿や、綿にポリエステルを混ぜたものを使用することができる。シーツ１６は、マットレス１４の上面１４ａに敷かれたベッドパッド１５の上から被せられ、上面１４ａから外側にはみ出した４つの端部がそれぞれ下方に垂れ下げられて前側面１６ｃ、後側面１６ｄ、左側面１６ｅ、右側面１６ｆを構成している。さらに、これらの側面は、それぞれマットレス１４の前側面１４ｃ、後側面１４ｄ、左側面１４ｅ、右側面１４ｆを覆うとともに、下端部１６ｇ（後側面１６ｄ、左側面１６ｅ等における二点鎖線よりも下側の部分）が内側に折り返されて、ボトム１１とマットレス１４との間の隙間（境界）Ｇ（図４（ｂ）参照）に差し込まれている。シーツ１６は、ベッド１を使用する使用者が直接触れることになるので、例えば、肌触りがよく、汗等を程度に吸収するものが好ましい。このシーツ１６は、ホテル，旅館等の宿泊施設においては、使用者が使用するごとに交換されるのが一般的である。
【００４８】
クッション１３は、マットレス１４、ベッドパッド１５、シーツ１６が上述のように組み合わされ、前端側をヘッドボード１２に当接させて位置決めされた状態で、ボトム１１の載置面１１ａに載置されている。
【００４９】
掛け布団２０は、クッション１３の上に載せられている。図３（ａ），（ｂ）に示すように、掛け布団２０は、下から順に、カバー２１と掛け布団本体２２と上カバー２３とが重ねられて構成されており、同図に示すホームポジションＰに配置される。ここで、掛け布団２０のホームポジションＰとは、ベッドベーキングにおいて、掛け布団２０をクッション１３の上に掛けた際に、その前端（頭部側端部）２０ａが、ヘッドボード１２から所定距離ｘ（使用者の頭部に対応する適宜な距離）だけ離れる位置をいう。なお、掛け布団２０がホームポジションＰに配置された状態においては、下カバー２１の厚さを考慮しない場合には、この掛け布団２０の前端２０ｃと、下カバー２１、掛け布団本体２２、上カバー２３のそれぞれの前端２１ｃ，２２ｃ，２３ｃとの位置とは一致する。以下では、下カバー２１は厚さがなく、これら前端の位置が一致するものとして説明する。
【００５０】
下カバー２１は、矩形の布状部材によって形成されており、上述のシーツ１６と同様、ベッド１を使用する使用者が直接触れることになるので、肌触りがよく、汗等を程度に吸収するものが好ましい。素材としては、例えば、綿や、綿にポリエステルを混ぜたものを使用することができる。下カバー２１の前端２１ｃ側は、後方に折り返されて上カバー２３の上に配置されて襟部２１ａを構成している。下カバー２１の一部である襟部２１ａは、使用者の首の近傍や腕が接触することになるが、上述のように下カバー２１を肌触りのよい部材で構成すれば、襟部２１ａがなくて上カバー２３が露出している場合と異なり、使用者が襟部２１ａに触れた場合でも使用者にとって違和感はない。また、襟部２１ａを設けることで、上カバー２３の前端２３ｃ側が襟部２１ａの下に隠れて、使用者には、上カバー２３が単に掛け布団本体２２の上面に載せられているにすぎないことが分からないため、使用者に豪華さを感じさせることができる。下カバー２１は、ホテル，旅館等の宿泊施設においては、使用者が使用するごとに交換されるのが一般的である。
【００５１】
掛け布団本体２２としては、例えば、矩形に形成されたデュペ（羽根布団）、綿布団、毛布等を使用することができる。掛け布団本体２２は、その前端２２ｃを下カバー２１の前端２１ｃに合わせるようにして、下カバー２１の上面に重ねられている。
【００５２】
上カバー２３は、矩形の布状の基材の上面（表面）２３ａの全面及び下面（裏面）２３ｂの全面に滑り止め加工を施すことによって形成されていて、上述の下カバー２１とは全く独立に（別個に）構成されている。上カバー２３は、その前端２３ｃを掛け布団本体２２の前端２２ｃに合わせるようにして、掛け布団本体２２の上面に重ねられている。この際、上カバー２３は、掛け布団本体２２の上面に直接、接触する下面２３に滑り止め加工がなされていて、掛け布団本体２２との間の摩擦力が増加されるので、掛け布団本体２２に対して、ずれたり片寄ったりしにくくなっている。さらに、上カバー２３は、その上面２３ａの全面にも滑り止め加工がなされていて、上面２３ａに直接接触する襟部２１ａとの間の摩擦力が増加されるので、下カバー２１の襟部２１ａに対しても、ずれたり片寄ったりしにくくなっている。逆に言うと、襟部２１ａは、滑り止め加工が施された上カバー２３の上面２３ａに直接接触することで、ずれたり、片寄ったりしにくくなっている。さらに言えば、下面２３ｂと上面２３ａとの両面に滑り止め加工が施された上カバー２３は、その前端２３ｃ側が、下面２３ｂ側の掛け布団本体２２と上面２３ａ側の襟部２１ａとによって挟み込まれた状態となるので、一層、滑りにくくなっている。上カバー２３は、上述の下カバー２１とは異なり、使用者の通常の使用においては、腕が触れる以外は、使用者がほとんど触れることがないので、宿泊施設においても、下カバー２１ほどの高い頻度では洗濯する必要がない。つまり、下カバー２１とは異なり、使用者が使用することに選択するには及ばない。
【００５３】
さらに、上カバー２３には、ソイルリリース加工を施しておくとよい。ソイルリリース加工をしておけば、一度付着した汚れを洗濯などで容易に落とすことができる。また、汚れにくいように防汚加工を施すようにしてもよい。上カバー２３は、これらソイルリリース加工や防汚加工を施した場合であっても、下カバー２１ほどは洗濯の頻度が高くないので、これらの加工が長期にわたって有効である。
【００５４】
ここで、上カバー２３としては、シート状の基材の両面に滑り止め加工をするのに代えて、素材自体が滑りにくいもの、例えば、天然ゴム，合成ゴム，合成ラティリス，発泡シリコン，ウレタン等をシート状に形成したものを使用するようにしてもよい。この場合には、実質的に、基材の両面に滑り止め加工を施したものと同等の効果を奏することができ、かつ、滑り止め加工を不要とすることが可能なため、簡単に製造することができる。
【００５５】
ここで、上述の掛け布団２０を、ホームポジションＰにおいて開いた状態の、クッション１３、下カバー２１、掛け布団本体２２、上カバー２３の、前後方向及び左右方向の大小関係及び位置関係について説明する。
【００５６】
まず、前後方向については、図３（ａ）に示すホームポジションＰに配置された掛け布団２０の前端２０ｃを基準としたときの、クッション１３の後端１３ｄまでの長さをＬ０、下カバー２１の後端２１ｄまでの長さをＬ１、掛け布団本体２２の後端２２ｄまでの長さをＬ２、上カバー２３の後端２３ｄまでの長さをＬ３としたときに、これらの間に、
Ｌ０＜Ｌ２＜Ｌ１＜Ｌ３
が成立する。
【００５７】
したがって、図４（ａ），（ｂ）に示すように、掛け布団２０は、下カバー２１の後端２１ｄ、掛け布団本体２２の後端２２ｄ、上カバー２３の後端２３ｄは、クッション１３の後端１３ｄから下方に垂れ下がる。
【００５８】
次に、左右方向については、図３（ａ）に示すように、クッション１３の幅をＤ０、下カバー２１の幅をＤ１、掛け布団本体２２の幅をＤ２、上カバー２３の幅をＤ３とすると、これらの間に、
Ｄ０＜Ｄ２＜Ｄ１＜Ｄ３
が成立する。
【００５９】
したがって、掛け布団２０は、下カバー２１、掛け布団本体２２、上カバー２３のそれぞれの左端２１ｅ，２２ｅ，２３ｅが、クッション１３の左端１３ｅから垂れ下がり、また、右端２１ｆ，２２ｆ，２３ｆが、クッション１３の右端１３ｆから垂れ下がる。
【００６０】
以上から、図４（ａ），（ｂ）に示すように、掛け布団２０は、全体として、その後端部２０ｄがクッション１３の後端から垂れ下がり、また、その左端２０ｅがクッション１３の左端１３ｅから垂れ下がり、さらに、その右端２０ｆがクッション１３の右端１３ｆから垂れ下がる。このため、クッション１３と掛け布団２０との間に入って就寝中に寝返りを打った場合でも、掛け布団２０全体が不要にずれたり、片寄ったりしにくくなっている。
【００６１】
また、本実施形態では、上述のように、掛け布団本体２２、下カバー２１、上カバー２３の長さ及び幅が、Ｌ２＜Ｌ１＜Ｌ３で、かつＤ２＜Ｄ１＜Ｄ３に設定されているので、つまり、掛け布団本体２２をそれぞれ下側及び上側から覆う下カバー２１及び上カバー２３は、長さ及び幅において、掛け布団本体２２よりも長く設定されているので、掛け布団本体２２が汚れにくい。
【００６２】
また、本実施形態では、上述のように、下カバー２１と上カバー２３とがそれぞれ個別に形成されていて、それぞれの長さ及び幅が、Ｌ１＜Ｌ３で、かつＤ１＜Ｄ３に設定されているので、つまり、上カバー２３を下カバー２１よりも大きくして、襟部２１ａを除く下カバー２１が外部から見えないようにしているので、両カバーを明確に機能分離することができる。すなわち、例えば、下カバー２１については、これが直接、使用者に接触することを考慮して、肌触りがよく、汗等を適度に吸湿するものがよい。これに対し、上カバー２３については、その上面２３ａのうちの、襟部２１ａの後方に位置する部分が、使用者の腕に触れることが考えられる以外は、ほとんど、使用者に触れることがないので、肌触り等はほとんど考慮する必要がなく、滑りにくい、あるいは洗濯時に汚れが簡単に落ちる等の機能性に富んだものが好ましい。
【００６３】
さらに、本実施形態では、図４（ｂ）に示すように、上カバー２３は、その後端２３ｄがクッション１３の後端１３ｄから垂れ下がっているが、この後端２３ｄの位置が、ボトム１１とクッション１３との間に形成される隙間Ｇよりも下方に位置するようになっている。すなわち、上カバー２３は、その後端２３ｄ近傍によって隙間Ｇを覆い隠すことができるので、別個に隙間Ｇを隠すためのスカート等を取り付けることなしに、隙間Ｇを外部から見えなくすることができる。ここで、ベッド１の左端側及び右端側についても同様に構成するとよい。すなわち、クッション１３の左端１３ｅから垂れ下がる上カバー２３の左端２３ｅ、及びクッション１３の右端１３ｆから垂れ下がる上カバー２３の右端２３ｆが、それぞれベッド１の左端側及び右端側において、隙間Ｇよりも下方に位置するように構成して、上カバー２３の左端２３ｅ及び右端２３ｆの近傍が、隙間Ｇを覆うようにするとよい。なお、図４（ｂ）では、下カバー２１の後端２１ｄ及び掛け布団本体２２の後端２２ｄも、隙間Ｇよりも下方に位置しているが、これらについては、隙間Ｇよりも上方に位置してもよい。つまり、少なくとも、上カバー２３の後端２３が隙間Ｇよりも下方に位置していれば十分である。なお、上カバー２３の左端２３ｅ、右端２３ｆについても、少なくともこれらが、隙間Ｇよりも下方に位置するようにして、隙間Ｇが外部から見えないようにするとよい。
【００６４】
以上説明したように、本実施形態に係る掛け布団２０は、下カバー２１と掛け布団本体２２と上カバー２３とを重ねただけの簡単な構成であるので、下カバー２１及び上カバー２３の交換作業を容易で、かつ短時間で行うことができる。また、掛け布団２０は、このような簡単な構成でありながら、上カバー２３の上面２３ａと下面２３ｂとの全面に滑り止め加工が施してあるので、使用者が使用中に、掛け布団本体２２に対して上カバー２３がずれたり片寄ったりしにくい。
【００６５】
また、下カバー２１の前端側を折り返して、襟部２１ａを構成しているので、例えば、襟部を、別部材の縫合等によって設ける場合と比較して、構成を簡単にすることができる。
【００６６】
また、この下カバー２１の一部である襟部２１ａは、滑り止め加工が施された上カバー２３の上面２３ａに直接接触するので、不要にずれたり、片寄ったりしにくい。逆に、両面に滑り止め加工が施された上カバー２３は、その前端２３ｃ側が、掛け布団本体２２と襟部２１ａとの間に挟持されるので、このことによっても不要なずれや片寄りが低減される。
【００６７】
なお、以上では、上カバー２３の上面２３ａ及下面２３ｂの全面に滑り止め加工が施されている場合を例に説明したが、本発明は、これに限定されるものではなく、例えば、上カバー２３は、掛け布団本体２２の上面に接触する下面２３ｂ側（裏面側）のうちの、少なくとも一部に、掛け布団本体２２の上面との間の摩擦力を増加させる滑り止め加工が施されていればよい。少なくとも一部としては、例えば、下面２３ｂの中央に島状に設ける、下面２３ｂの４隅に島状に設ける、下面２３ｂの４つの端部に沿って額縁状に設ける、前後方向に沿ったライン状のものを左右方向に沿って複数設ける、左右方向に沿ったライン状のものを前後方向に沿って複数設ける等が挙げられる。
【００６８】
また、上カバー２３の上面２３ａには、滑り止め加工を施さないようにしてもよい。なお、この場合には、襟部２１ａのうちの、上カバー２３の上面２３ａに接触する部分に滑り止めを設けるようにしてもよい。
【００６９】
次に、上述の掛け布団２０を備えたベッド１は、掛け布団２０における下カバー２１及び上カバー２３の交換作業が容易である分、全体のベッドメーキングが容易であり短時間であ行うことができる。
【００７０】
また、ベッド１は、ベッド本体１０に掛け布団２０を載せた（セットした）状態、つまりベッドメーキング後の状態において、掛け布団２０の上カバー２３における後端２３ｄ、左端２３ｅ、右端２３ｆが、ボトム１１とクッション１３との間の隙間Ｇを覆って外部から見えなくするので、隙間Ｇを隠すためのスカート等の部材を別個に設ける必要がない。
＜実施の形態２＞
【００７１】
上述の実施形態１に係る掛け布団２０を使用したベッドメーキング方法について説明する。なお、以下では、宿泊施設等で、ベッド１が使用されるごとに行われる一般的な交換作業、すなわち、クッション１３のシーツ１６と、掛け布団２０の下カバー２１の交換作業について説明する。
【００７２】
図１に示すベッド１において、ベッド本体１０から掛け布団２０を取り除く。クッション１３を少し後側にずらして、ヘッドボード１２とクッション１３の前端１３ｃとの間に間隙を設ける。そして、シーツ１６の一部をつかんで、引っ張る。これにより、シーツ１６は、隙間Ｇに挟まっていた下端部１６ｇが引き抜かれて、全体が取り除かれる。なお、図２に示すベッドパッド１５は、そのままマットレス１４の上面１４ａに敷いたままとする。
【００７３】
図３に示す掛け布団２０を、下カバー２１、掛け布団本体２２、上カバー２３に分けて、下カバー２１を取り除く。以上で、シーツ１６及び下カバー２１の取り除き作業が終了する。
【００７４】
つづいて、洗濯済みの新規のシーツ１６及び下カバー２１を取り付ける。
まず、マットレス１４に敷かれているベッドパッド１５の上からシーツ１６を掛ける。このとき、シーツ１６の４つの端部が、マットレス１４の４つの端部から略均等にはみ出すようにする。そして、はみ出た部分を下方に垂らして、前側面１６ｃ、後側面１６ｄ、左側面１６ｅ、右側面１６ｆを構成して、これら側面によって、マットレス１４の前側面１４ｃ、後側面１４ｄ、左側面１４ｅ、右側面１４ｆを覆い、各側面の端部１６ｇを内側に折り返して、ボトム１１とマットレス１４との間の隙間Ｇに差し込む。その後、クッション１３全体を前側に移動させて、その前端１３ｃをヘッドボード１２に押し当てて位置決めする。以上で、ベッド本体１０についてのベッドメーキングが終了する。
【００７５】
次に、ベッド本体１０の上で、下カバー２１、掛け布団本体２２、上カバー２３の順に下から重ねて掛け布団２０を構成する。
【００７６】
まず、下カバー２１は、洗濯後の新規のものを取り出して、クッション１３の上に敷く。このとき、後に、先端側を折り返して襟部２１ａを形成することを考慮に入れて、折り返し後の先端２１ｃがホームポジションＰに位置するようにする。この下カバー２１の上に掛け布団本体２２を敷く。このとき、掛け布団本体２２の前端２２ｃが、折り返し後の下カバー２１の先端２１ｃの位置と略一致するようにする。さらに、この掛け布団本体２２の上に上カバー２３を敷く。このとき、上カバー２３の前端２３ｃが、掛け布団本体２２の前端２２ｃと一致するようにする。その後、下カバー２１の前端２１ｃ側を、上カバー２３の上面２３ａ上に折り返して襟部２１ａを形成する。以上で、掛け布団２０についてのベッドメーキングが終了し、上述のベッド本体１０についてのベッドメーキングと合わせて、ベッド１全体についてのベッドメーキングが終了する。
【００７７】
新規のシーツ１６及び新規の下カバー２１が取り付けられたベッド１は、上述のように、上カバー２３の後端２３ｄ、左端２３ｅ、右端２３ｆがそれぞれボトム１１とクッション１３との間の隙間Ｇを隠すので、外から見たときのベッド１の美称性を向上させることができる。
【００７８】
ベッドメーキング後のベッド１は、上述のように、上カバー２３の上面２３ａ及び下面２３ｂの全面が滑り止め加工されているので、使用者が寝返りを打って掛け布団２０が動いた場合でも、上カバー２３は、掛け布団本体２２に対してずれたり片寄ったりしにくい。
【００７９】
上述のベッドメーキング方法において、ベッド本体１０についてのものは、従来と同様であるが、掛け布団２０についてのベッドメーキング方法は、従来の袋状の布団カバーに掛け布団本体を収納する場合と比較して、単に、下カバー２１と掛け布団本体２２と上カバー２３とを重ねるだけの極めて簡単な作業で、掛け布団２０を構成することができる。例えば、従来の袋状の布団カバーの交換には、３分程度かかっていたのに対し、本実施形態のベッドメーキング方法では、下カバー２１の交換を１分ほどで行うことが可能である。つまり、約２分短縮することができる。宿泊施設において、毎日、多数のベッド１のベッドメーキングを行う場合には、この時間の短縮は、多大なものとなり、人件費の削減に直結することになる。
【００８０】
さらに、本実施形態の掛け布団２０にあっては、洗濯代を削減することが可能である。すなわち、使用者に直接接触する下カバー２１については、使用ごとに洗濯する必要があったとしても、使用者に触れる機会が少ない上カバー２３は、下カバー２１ほどの洗濯頻度は不要である。一方、従来の布団カバーは、下カバー部と上カバー部とが一体となって袋状を構成しているため、両者を分離することができず、使用ごとに全体を選択することが必要となる。洗濯頻度の少ない上カバー２３の洗濯代を考慮しない場合には、単純には、本実施形態の下カバー２１の洗濯量は、従来の布団カバーの洗濯量の略半分になる。例えば、具体的には、従来の布団カバーの洗濯代が１枚２５０円程度であったのに対し、下カバー２１の洗濯代は１枚１２０円程度であり、差し引き１３０円程度の洗濯代の節約が可能である。ただし、実際には、頻度の少ない上カバー２３の洗濯代をここから差っ引いた額の節約が可能である。いずれにしても、宿泊施設において、毎日、多数のベッド１の掛け布団のカバーを洗濯する必要がある場合には、洗濯代の多大な節約に直結する。
【００８１】
以上説明したベッドメーキング方法においては、ベッド本体１０の上に、下カバー２１を敷き、その上に掛け布団本体２２を敷き、その上に上カバー２３を敷くことで、ベッベッド本体１０の上で掛け布団２０を構成する例を説明した。
これに代えて、下カバー２１と掛け布団本体２２と上カバー２３とをそれぞれの前端２１ｃ，２２ｃ，２３ｃを合わせて重ねて、掛け布団２０を構成し、この掛け布団２０をベッド本体１０の上に敷くようにしてもよい
【００８２】
また、ベッド本体１０の上に下カバー２１を敷き、掛け布団本体２２と上カバー２３とを、それぞれの前端２２ｃ，２３ｃを合わせて重ねた状態で、下カバー２１の上に敷くことで、ベッド本体１０の上で掛け布団を構成するようにしてもよい。
【００８３】
以上の実施形態１，２においては、本発明を適用するベッド１がシングルベッドである場合を例に説明したが、本発明はもちろん、セミダブルベッドや、ダブルベッドに対しても基本的な構成を何ら変更することなくそのまま適用することが可能である。そして、これらセミダブルベッドやダブルベッドに適用した場合には、下カバー２１の左右方向の長さＤ３が、シングルベッドよりも長いため、ベッドメーキングに要する時間短縮、洗濯代の節約についてはさらに大きな効果を期待することができる。
【符号の説明】
【００８４】
１  ベッド
１０  ベッド本体
１１  ボトム
１２  ヘッドボード
１３  クッション
２０  掛け布団
２０ｃ  掛け布団の前端（頭部側端部）
２１  下カバー
２１ａ  襟部
２１ｃ  下カバーの前端（頭部側端部）
２２  掛け布団本体
２２ｃ  掛け布団本体の前端（頭部側端部）
２２ｄ  掛け布団本体の後端（端部）
２２ｅ  掛け布団本体の左端（端部）
２２ｆ  掛け布団本体の右端（端部）
２３  上カバー
２３ａ  上面（表面）
２３ｂ  下面（裏面）
２３ｃ  上カバーの前端（頭部側端部）
２３ｄ  上カバーの後端（端部）
２３ｅ  上カバーの左端（端部）
２３ｆ  上カバーの右端（端部）
Ｇ  ボトムとクッションとの間の隙間（境界）
【図１】
2011098109.tif 000003
【図２】
2011098109.tif 000004
【図３】
2011098109.tif 000005
【図４】
2011098109.tif 000006
【図５】
2011098109.tif 000007